(57)【特許請求の範囲】
【請求項１】
腰支え部を背もたれ部と脚乗せ部で挟んで配したマットレス支持体をフレームに支持してなり、背もたれ部には頭部を脚乗せ部には爪先部をそれぞれ上挙する揺動手段を、腰支え部には同部を水平に昇降する昇降手段を、それぞれマットレス支持体各部にそれぞれが個別に作動し得るよう設け、前記マットレス支持体の揺動手段或いは昇降手段作動用の筒状揺動軸内部にはトーションバーを挿入し、トーションバーの一端を揺動軸内部に固定し、他端を揺動軸外に出し揺動軸がマットレス支持体を上挙或いは上昇する方向と逆の方向にトーションバーを捩ってフレームに固定し、揺動軸にマットレス支持体の上挙或いは上昇方向に付勢力を賦与してなり、マットレス支持体の揺動手段、昇降手段を作動させるための駆動手段をフレームの中央に位置させ、その両側に複数の物品収納手段を枠板内に設け、前記マットレス支持体を支えるフレームの一部を突出させ、該突出部分を、枠板の内側面に設けたフレーム支持板の凹欠部に嵌合し、マットレス支持体を枠板で囲って支持したことを特徴とするベッド。
【発明の詳細な説明】
【０００１】
【発明の属する技術分野】
本発明は、背もたれ部，腰支え部，脚乗せ部の３部分に分割したマットレス支持体を有するギャッジベッドに関する。
【０００２】
【従来の技術】
従来、マットレス支持体の背もたれ部，脚乗せ部などを傾斜させ、仰臥状態から上半身を起こし、或るいは脚先を上げた状態にし、就寝時の姿勢を変化させ得るベッドは用いられている。また、腰支え部のみを上昇させ、仰臥している者の腰部を高くし反り返った状態に屈曲し腰部の屈伸運動を行うためのベッドも知られている。
【０００３】
然しながら、前者にあっては、上半身を起こし背もたれ部に寄り掛かった状態で脚先を下げる姿勢をとることは出来ず、後者にあっては身体を伸ばして仰臥またはうつぶせしている者の腰を屈折点にして逆くの字又はくの字に屈曲することしか出来ない。
【０００４】
また、従来のギャッジベッドにあっては、室内の雰囲気に合わせるために、ベッドフレームの周囲を化粧板で囲ったものがあるが、この化粧板はベッドフレームに固定されており、化粧板でベッドフレームを支えているものではなく、化粧板を組み立て枠組とし、それに床板を渡してマットレス等を支持してなる一般の固定ベッドにあっては、枠組を生かしたままそれをギャッジベッドに変更することは出来なかった。
【０００５】
【発明が解決しようとする課題】
本発明は上記の点に鑑みて、マットレス支持体の背もたれ部，腰支え部，脚乗せ部をそれぞれ別個に動かすことによって、背もたれ部に寄り掛かり脚を水平に投げ出した形、腰支え部を上昇させて背もたれ部に寄り掛かり脚先を下げ椅子に腰掛けた如き形、脚乗せ部のみを上挙し仰臥して脚先を上げた形、腰支え部のみ上昇させ仰臥して腹部を伸長した形、等の各種形態をとることが出来るようにしたギャッジベッドであって、フレーム部のみを、従来のヘッドボード，フットボード，サイドボードを組み立ててなる（化粧）枠板に自在に取り付けることによって、従来の固定ベッドをギャッジベッドに変えることが出来るベッドを得ることを第１の目的としている。
【０００６】
前記各部を別個に動かすための駆動手段にトーションバーを組み入れることでモーターを小型化し、前記枠板内空間を大きくし、物品収容空間を配することが出来るベッドを得ることを第２の目的としている。
【０００７】
【課題を解決するための手段】
請求項１の発明にあっては、腰支え部を背もたれ部と脚乗せ部で挟んで配したマットレス支持体をフレームに支持してなり、背もたれ部には頭部を脚乗せ部には爪先部をそれぞれ上挙する揺動手段を、及び、腰支え部には同部を水平に昇降する昇降手段を、それぞれマットレス支持体各部にそれぞれが個別に作動し得るよう設け、前記マットレス支持体を支えるフレームの一部を突出させ、該突出部分を、枠板の内側面に設けたフレーム支持板の凹欠部に嵌合し、マットレス支持体を枠体で囲って支持している。
請求項２の発明にあっては、前記筒状の揺動軸内部にはトーションバーを挿入し、トーションバーの一端を揺動軸内部に固定し、他端を揺動軸外に出し揺動軸がマットレス支持体を上挙或いは上昇する方向と逆の方向にトーションバーを捩ってフレームに固定し、揺動軸にマットレス支持体の上挙或いは上昇方向に付勢力を賦与している。
請求項３の発明にあっては、マットレス支持体の揺動手段、昇降手段を作動させるための駆動手段をフレームの中央に位置させ、その両側に複数の物品収納手段を枠板内に設けた。
【０００８】
【発明の実施の形態】
本発明の実施の形態を図面と共に次に説明する。
図１は本発明ギャッジベッドの縦断側面図、図２は同じく一部を切除した状態の平面図である。
【０００９】
本発明ギャッジベッド１は、背もたれ部２，腰支え部３，脚乗せ部４よりなるマットレス支持体５を支えるフレーム６を、ヘッドボード７，フットボード８，サイドボード９よりなる枠板１０に取り外し自在に支持してなる。フレーム６は、背もたれ部２，腰支え部３を支持するフレーム６ａと、脚乗せ部４を支持するフレーム６ｂとに分割されている。
【００１０】
マットレス支持体５は、腰支え部３を中心にしてその両側に背もたれ部２，脚乗せ部４を配してフレーム６ａ，６ｂに支えられている。背もたれ部２，腰支え部３，脚乗せ部４はそれぞれ平面形状がロ字状をなした周縁材１１ａ，１１ｂ，１１ｃの中に格子状に組んだマットレス受１２を有している。マットレス支持体５は腰支え部３が上下に昇降し、背もたれ部２が腰支え部３に近い位置の周縁材１１ａに設けた蝶番部材１３ａにより、脚乗せ部４は同じく周縁材１１ｃに設けた蝶番１３ｂにより、それぞれ外側端が上挙するようにフレーム６に蝶着されている。
【００１１】
次にマットレス支持体５の昇降及び揺動手段について説明する。
フレーム６ａ，６ｂは、マットレス支持体５の幅よりも若干狭い間隔でベッドの長手方向に平行に延びる２本の縦梁１４，１４を、ヘッドボード７，フットボード８，サイドボード９，９よりなる枠板１０の幅方向の内法の長さを有する、断面円形又は角形の複数の横梁１５ａ，１５ｂ，１５ｃ，１５ｄでロ字状に固定している。図に示す例では縦梁１４，１４は、前述の如くマットレス支持体５の背もたれ部２及び腰支え部３を支持する部分１４ａと、脚乗せ部４を支える部分１４ｂとに２分され、マットレス支持体５を枠板１０に取り付ける際に容易に実行出来るようにしている。フレーム６は枠板１０の両側のサイドボード９，９の内側に設けたフレーム支持板１６の所定位置に設けた凹欠部１７に横梁１５ａ，１５ｂ，１５ｃ，１５ｄの端部を嵌合することによってフレーム６は枠板１０に固定される。
【００１２】
腰支え部３の昇降手段について次に説明する。
腰支え部３の下位に位置するフレーム６ａの横梁１５ａに固定され斜め下方に突出した支持腕２１にモータ２２及びギアボックス２３を支持する。フレーム６ａの縦梁１４ａ，１４ａ間に旋回動自在に渡した腰支え部３の揺動軸２４から突出させた揺動腕２５に螺杆２６を枢支し、螺杆２６先端の螺子部２６ａを前記ギアボックス２３内のギアと噛み合わせ、モータ２２の回転によりギアボックス２３を介して螺杆２６を左右に移動させ得るようにしている。前記揺動軸２４には、その両端に一対の上挙腕２７を固定し、上挙腕２７の先端に支持したローラ２８を、腰支え部３の周縁材１１ｂと一体の下向きの断面倒コ字状の受け板２９に当接し、これを下から支える。上挙腕２７の中間部分に上挙腕２７とＸ字状に交差する交差腕３０を枢支する。交差腕３０は下端部にローラ３１を有し、該ローラ３１は縦梁１４ａの側面に設けた断面コ字状のコ字状ガイド３２に摺動自在に嵌合させている。交差腕３０の上端は、前記受け板２９の側部の支持腕３３に枢着されている。従って、揺動軸２４の旋回により上挙腕２７が上挙したとき上挙腕２８のローラ２８が、腰支え部３の受け板２９を押し上げると共に、交差腕３０は下部ローラ３１をコ字状ガイド３２内に摺動嵌合したままパンタグラフ状に起立し、腰支え部３を水平状態のまま上昇させ得るようにしている。
【００１３】
揺動軸２４は前述の如く、縦梁１４ａ，１４ａ間に旋回動自在に支持されているが、筒状体よりなるその内部にトーションバー３４を挿入している。トーションバー３４は、一端を筒状の揺動軸２４内部で同軸と一体に固定し、他端は揺動軸２４が腰支え部３を上昇する方向にトーションバー３４を捩じって筒体から出てＵ字状に屈曲し、その端部３５を縦梁１４ａに係止することによって、トーションバー３４は、揺動軸２４に腰支え部３を上昇する方向に付勢（図２において反時計針方向にねじれるような付勢力）している。即ち、揺動軸２４は上挙腕２７を図２において反時計針方向に旋回するような付勢力を有し腰支え部３を上昇するための力を内在している。
【００１４】
背もたれ部２の揺動手段につき次に説明する。
背もたれ部２の下位に位置するフレーム６ａの横梁１５ｂに固定され斜め下方に突出した支持腕４１にモータ４２及びギアボックス４３を支持する。フレーム６ａの縦梁１４ａ，１４ａ間に旋回動自在に渡した背もたれ部２の筒状揺動軸４４から突出させた揺動腕４５に螺杆４６を枢支し、螺杆４６先端の螺子部を前記ギアボックス４３内のギアと噛み合わせ、モータ４２の回転によりギアボックス４３を介して螺杆４６を左右に移動させ得るようにしている。前記揺動軸４４には、その両端に一対の上挙腕４７を固定し、上挙腕４７の先端に支持したローラ４８を、背もたれ部２の周縁材１１ａと一体の下向きの断面倒コ字状の受け板４９に当接し、これを下から支える。
【００１５】
従って、上挙腕４７が上挙したとき上挙腕４７のローラ４８が背もたれ部２の受け板４９を押し上げるため背もたれ部２は蝶番１３ａを中心に頭部を上挙し、背もたれ部２を傾斜させる。
【００１６】
揺動軸４４は前述の如く、縦梁１４ａ，１４ａ間に旋回動自在に支持されているが、その内部にトーションバー５４を挿入している。トーションバー５４は一端を筒状の揺動軸４４内部で同軸と一体に固定し、他端は筒体から出てＵ字状に屈曲し、その端部５５を縦梁１４ａに係止している。トーションバー５４は、トーションバー３４と同一の作用効果を揺動軸４４にもたらし、図２において時計針方向にねじれるような付勢力を有している。即ち、上挙腕４７を図２において時計針方向に旋回するような付勢力を有し背もたれ部２の頭部を上昇するための力を内在している。
【００１７】
脚乗せ部４の揺動手段について次に説明する。
脚乗せ部４の下位に位置するフレーム６ｂの爪先側の横梁１５ｃに固定され斜め下方に突出した支持腕６１にモータ６２及びギアボックス６３を支持する。フレーム６ｂの縦梁１４ｂ，１４ｂ間に旋回動自在に渡した脚乗せ部４の揺動軸６４から突出させた揺動腕６５に螺杆６６を枢支し、螺杆６６先端の螺子部を前記ギアボックス６３内のギアと噛み合わせ、モータ６２の回転によりギアボックス６３を介して螺杆６６を左右に移動させ得るようにしている。前記揺動軸６４には、その両端に一対の上挙腕６７を固定し、上挙腕６７の先端に支持したローラ６８を、脚乗せ部４の周縁材１１ｃと一体の下向きの断面倒コ字状の受け板６９に当接し、これを支える。
【００１８】
従って、上挙腕６７が上挙したとき上挙腕６７のローラ６８が脚乗せ部４の受け板６９を押し上げるため脚乗せ部４は蝶番１３ｂを中心に爪先部を上挙し、脚乗せ部４を傾斜させる。
【００１９】
脚乗せ部４における前記上挙動作は、人体脚部の重量が少ないために特に補助的に上挙方向への付勢を必要とせず、背もたれ部２，腰支え部３に設けたトーションバー３４，５４による付勢手段は設けていない。
【００２０】
上記の如く、背もたれ部２，腰支え部３はフレーム６ａと一体に構成され、脚乗せ部８はフレーム６ｂと一体に構成されている。これらフレーム６ａ，６ｂは共に、枠板１０によって周囲を囲うように支持される。枠板１０の両サイドボード９，９の内側にはフレーム支持板１６，１６がサイドボード９，９と一体に設けられ、フレーム支持板１６に設けられた凹欠部１７内に横梁１５ａ，１５ｂ，１５ｃ，１５ｄの端部を嵌合することによりマットレス支持体５は枠板１０に固定されギャッジベッドとなる。
【００２１】
本発明ベッドは、コントロールボックス７１から引き出したリモートコントロール装置（図示せず）により操作するが、背もたれ部２，腰支え部３，脚乗せ部４のそれぞれのモータ４３，２２，６２は別個に駆動することが出来るので、背もたれ部２，腰支え部３，脚乗せ部４のそれぞれの内１つ乃至は全部を適宜組み合わせて上挙或いは上昇させることが出来る。
【００２２】
即ち、背もたれ部２或いは脚乗せ部４のみを操作したときは、仰臥状態から上半身を起こした状態或いは仰臥して脚先を上げた状態とし、仰臥状態で腰支え部３のみ上昇させれば腹部を緊張したストレッチ運動をすることが出来、背もたれ部２を立て腰支え部３を上昇させれば爪先が下がり椅子に掛けた如き状態とすることが出来る等種々の姿勢をとることが出来る。
【００２３】
上記の如く本発明ベッド１は、マットレス支持体５と一体のフレーム６をヘッドボード７，フットボード８，サイドボード９，９よりなる枠板１０に設けたフレーム支持板１６に、フレーム６の横梁１５を係止することにより固定しているために、例えば永年の使用により枠板１０に傷を生じ枠板１０を取り替えたいときなど、単に枠板１０からフレームを取り出せば良いという簡便性があり、また、ギャッジベッド１０ではない通常のベッドをギャッジベッドにしたいときには、通常のベッドの枠板１０を使用し、その内側にフレーム支持板１６を取り付けることにより、マットレス支持体を備えることが出来るので容易に通常ベッドをギャッジベッドにすることも出来る。
【００２４】
本発明ギャッジベッドにあっては、体重を多く受ける背もたれ部２，腰支え部３の上挙動或いは上昇動を助ける方向に付勢するトーションバー３４，５４を内在させている。そのために、上記各動作の駆動源となるモータの出力を少なくすることひいてはモータの大きさを小さくすることが出来、ベッドの枠板１０内部において機能部品が占める割合が少なくなり、ギャッジベッドであるにかかわらず枠板１０内部に引き出し戸棚等の物品収納手段７０を設けている。
【００２５】
【発明の効果】
本発明のベッドは以下の効果を有する。
背もたれ部，腰支え部，脚乗せ部の３部分に分割したマットレス支持体のそれぞれに独立した駆動手段が設けられているので、背もたれ部，腰支え部，脚乗せ部の内適宜個所を選択してその部分のみを作動させることが出来、使用者が仰臥した姿勢，腹部を出して反り返るようなストレッチ姿勢或いは膝を曲げ背もたれに寄り掛った椅子に座した姿勢等自由な姿勢でベッドを使用することが出来る。
【００２６】
マットレス支持体を支えるフレームの一部を突出させ、該突出部分を、枠板の内側面に設けたフレーム支持板の凹欠部に嵌合したために、枠板に梁を置きそれでマットレス支持体を支えるような固定ベッドであっても、枠板にフレーム支持板によりフレームを嵌合するだけでキャッジベッドとすることが出来る。
【００２７】
フレームと一体のマットレス支持体を枠板に取り付けているために、必要に応じ適宜枠体を変更することにより気分を変えて使用することが出来る。
身体の重量のある部分を支える背もたれ部，腰支え部を上挙，上昇させるための旋回力等を付勢するトーションバーを揺動軸内に設けているために、揺動軸に旋回力を支えるモータの出力を小さくすることが出来る。
上記モータの小型化により枠板内空間が大となり引出しなどの物品収容手段を設けることが出来るようになった。
【図面の簡単な説明】
【図１】図１は、一部切除した状態の平面図。
【図２】図２は、一部切除した状態の縦断側面図。
【符号の説明】
１  ギャッジベッド
２  背もたれ部
３  腰支え部
４  脚乗せ部
５  マットレス支持体
６，６ａ，６ｂ  フレーム
７  ヘッドボード
８  フットボード
９  サイドボード
１０  枠板
１６  フレーム支持板
１７  凹欠部
Ａ，Ｂ  揺動手段
Ｃ  昇降手段
Ｄ  駆動手段
２４，４４，６４  揺動軸
３４，５４  トーションバー
３５  端部
７０  物品収納手段
【図１】
0003610451.tif 000002
【図２】
0003610451.tif 000003